(57)【特許請求の範囲】
【請求項１】
給電ピンを有する給電側口金および保持ピンを有する保持側口金を備える直管ＬＥＤランプが装着されるランプソケットであって、
本体と、
前記本体に取り付けられるカバーと、
前記本体に回転可能に取り付けられ、前記給電ピンを保持するための回転子と、
前記保持ピンを保持する保持部と、を備え、
前記保持部は、隙間を介して対向配置される一対のリブからなり、
前記隙間の前記保持ピンが挿入される方向の上流端の幅は、前記保持ピンの短辺の幅より大きく、前記隙間の前記保持ピンが挿入される方向の下流端の幅は、前記保持ピンの前記短辺の幅より小さく、
前記隙間の前記上流端の幅および前記下流端の幅は、前記給電ピンの幅より大きいことを特徴とするランプソケット。
【請求項２】
前記一対のリブの各々の内面には、前記保持ピンを保持する保持面が形成され、
前記保持部は、前記隙間に前記保持ピンが挿入された状態で、前記保持ピンが回転されることにより、前記保持面により前記保持ピンを保持するものであることを特徴とする請求項１に記載のランプソケット。
【請求項３】
前記給電ピンと導通する一対の導電接触片をさらに備え、
前記回転子は、直径方向に貫通して形成される凹状の挿入部を有し、
前記挿入部に前記給電ピンが挿入された状態で前記回転子が回転されることにより、前記給電ピンと前記一対の導電接触片が接することを特徴とする請求項１または２に記載のランプソケット。
【請求項４】
前記給電ピンは、２つのピンからなり、
前記挿入部の一部は、前記保持部の前記隙間よりも前記給電ピンが挿入される方向の下流側に位置し、
前記回転子は、前記２つのピンの一方が、前記挿入部の前記一部に挿入された状態で回転することを特徴とする請求項３に記載のランプソケット。
【請求項５】
前記保持部は、前記一対の導電接触片の内側に配置されることを特徴とする請求項３または４に記載のランプソケット。
【請求項６】
前記保持部は、前記カバーに設けられることを特徴とする請求項１〜５のいずれか一項に記載のランプソケット。
【請求項７】
前記給電側口金および前記保持側口金は、ＪＩＳＣ７７０９：２０１３規格に準拠するＧＸ１６ｔ−５口金であることを特徴とする請求項１〜６のいずれか一項に記載のランプソケット。
【請求項８】
請求項１〜７のいずれか一項に記載のランプソケットと、
前記ランプソケットが取り付けられる器具本体と、
前記給電側口金および前記保持側口金を備える前記直管ＬＥＤランプと、
前記直管ＬＥＤランプに電源を供給する電源装置と、を備えることを特徴とする照明器具。
【発明の詳細な説明】
【技術分野】
【０００１】
本発明は、直管型ランプを天井等に固定するランプソケットおよび該ランプソケットを備える照明器具に関するものである。
【背景技術】
【０００２】
天井照明等に用いられる直管型ランプとして、ＬＥＤ（Light Emitting Diode）を光源とした直管ＬＥＤランプが知られている。直管ＬＥＤランプには、日本電球工業会により制定される規格「ＪＥＬ８０１」に準拠したＬＥＤランプ専用のＧＸ１６ｔ−５口金を備えるものがある。このＧＸ１６ｔ−５口金は、例えば、特許文献１または特許文献２に記載されるように、一方が２本の給電ピンを備える給電側口金であり、他方が給電ピンとは異なる形状の１本の接地ピンを備える接地側口金となっている。そして、給電側口金を装着する給電側ソケットおよび接地側口金を装着する接地側ソケットの２種類のソケットによって、直管ＬＥＤランプが固定される構成となっている。
【先行技術文献】
【特許文献】
【０００３】
【特許文献１】特開２０１３−６９４２１号公報（図１参照）
【特許文献２】特開２０１３−６９４３５号公報（図４参照）
【発明の概要】
【発明が解決しようとする課題】
【０００４】
従来、直管ＬＥＤランプの接地側口金に装着される接地側ソケットは、接地ピンをアースに接続するためのアース機構を有していた。しかしながら、近年、ＧＸ１６ｔ−５口金付きの直管ＬＥＤランプに関するＪＩＳ規格(JIS C 8159-1)が制定され、当該ＪＩＳ規格では、接地ピンのアース接続が不要となっている。
【０００５】
また、上記のとおり、ＧＸ１６ｔ−５口金においては給電側と接地側とでピンの本数や形状が異なるため、ランプを固定するためには各々に対応する２種類のソケットが必要となる。そのため、部品点数が増加するとともに、部品の選別等の管理工程が必要となっていた。また、組立作業工程における取り付け間違いが発生する可能性もあった。さらに、給電側口金に対応する給電側ソケット、接地側口金に対応する接地側ソケットをそれぞれ装着する必要があり、直管ＬＥＤランプを取り付ける際に方向性が生じるため、作業性も悪かった。
【０００６】
本発明は、上記のような課題を解決するためのものであり、直管ＬＥＤランプを取り付ける際の方向性をなくして作業性を向上させるとともに、部品コストおよび管理コストの低減を図ることが可能なランプソケットおよび照明器具を提供することを目的とする。
【課題を解決するための手段】
【０００７】
本発明に係るランプソケットは、給電ピンを有する給電側口金および保持ピンを有する保持側口金を備える直管ＬＥＤランプが装着されるランプソケットであって、本体と、本体に取り付けられるカバーと、本体に回転可能に取り付けられ、給電ピンを保持するための回転子と、保持ピンを保持する保持部と、を備え、保持部は、隙間を介して対向配置される一対のリブからなり、隙間の保持ピンが挿入される方向の上流端の幅は、保持ピンの短辺の幅より大きく、隙間の保持ピンが挿入される方向の下流端の幅は、保持ピンの短辺の幅より小さく、隙間の上流端の幅および下流端の幅は、給電ピンの幅より大きいものである。
【発明の効果】
【０００８】
本発明に係るランプソケットによれば、給電側口金および接地（保持）側口金を共通して装着することができるため、ランプを取り付ける際の方向性がなくなり、作業性が向上する。また、ランプソケットを共通化することで、従来必要としていた接地側ソケットが必要なくなり、部品コストおよび部品の選別等の管理コストを低減することが可能となる。
【図面の簡単な説明】
【０００９】
【図１】本発明の実施の形態における照明器具の斜視図である。
【図２】本発明の実施の形態における直管ＬＥＤランプの一例を示す図であり、（ａ）は直管ＬＥＤランプの全体図、（ｂ）は給電側口金の拡大図、（ｃ）は接地側口金の拡大図である。
【図３】本発明の実施の形態におけるランプソケットを示す図であり、（ａ）は正面斜視図、（ｂ）は背面斜視図、（ｃ）は分解斜視図である。
【図４】本発明の実施の形態におけるランプソケットと給電ピンとの接触状態を示す図である。
【図５】本発明の実施の形態におけるランプソケットの保持用リブを説明する図であり、(ａ)は保持用リブと給電ピンとの関係を示し、（ｂ）は保持用リブと接地ピンとの関係を示す図である。
【図６】本発明の実施の形態における給電ピンの保持状態を示す図であり、（ａ）は直管ＬＥＤランプをランプソケットに挿入した状態（０°）、（ｂ）は直管ＬＥＤランプを挿入した状態から９０°回転した状態を示す図である。
【図７】本発明の実施の形態における接地ピンの保持状態を示す図であり、（ａ）は直管ＬＥＤランプをランプソケットに挿入した状態（０°）、（ｂ）は直管ＬＥＤランプを挿入した状態から９０°回転した状態を示す図である。
【発明を実施するための形態】
【００１０】
以下に、本発明におけるランプソケットおよび照明器具の実施の形態を図面に基づいて詳細に説明する。
【００１１】
図１は、本発明の実施の形態における照明器具１０の斜視図である。図１に示すように、照明器具１０は、器具本体１１および反射板１２を備える。器具本体１１の長手方向の両端には、同じ仕様のランプソケット３０がそれぞれ設けられ、ランプソケット３０に直管ＬＥＤランプ２０が着脱可能に装着される。反射板１２は、直管ＬＥＤランプ２０から発せられる光を配光する機能を有する。照明器具１０は、さらに、器具本体１１に取り付けられ、直管ＬＥＤランプ２０を点灯させるための電源を供給する電源装置（図示せず）を備える。
【００１２】
図２は、本実施の形態における直管ＬＥＤランプ２０の一例を示す図である。図２（ａ）は直管ＬＥＤランプ２０の全体図、(ｂ)は給電側口金２１の拡大図、(ｃ)は接地側口金２２の拡大図である。図２（ａ）に示すように、直管ＬＥＤランプ２０は、外郭２３、ならびに外郭２３の両端にそれぞれ設けられた給電側口金２１および接地側口金２２を備える。外郭２３は、内部に光源となるＬＥＤモジュールを備え、その光を透過する構成となっている。
【００１３】
本実施の形態の給電側口金２１および接地側口金２２は、ＪＥＬ８０１規格またはＪＩＳ規格（JIS C 7709：2013）に準拠したＧＸ１６ｔ−５口金である。詳しくは、図２（ｂ）に示すように、給電側口金２１は一対（２本）のＬ字形状の給電ピン２５を有する。給電ピン２５は、給電側口金２１の給電側当接部２４から軸方向に延びる給電ピン軸部２５ａと、給電ピン軸部２５ａの先端から外方向に延びる給電ピン抜け止め部２５ｂとからなる。また、図２（ｃ）に示すように、接地側口金２２は１本の接地ピン２７を有する。接地ピン２７は、接地側口金２２の接地側当接部２６から軸方向に延びる接地ピン軸部２７ａと、接地ピン軸部２７ａの先端に形成される楕円形状の接地ピン先端部２７ｂとからなる。なお、接地側口金２２が本発明の保持側口金に相当し、接地ピン２７が本発明の保持ピンに相当する。
【００１４】
図３は、本実施の形態におけるランプソケット３０を示す図であり、（ａ）はランプソケット３０の正面斜視図、（ｂ）は背面斜視図、（ｃ）は分解斜視図である。本実施の形態のランプソケット３０は、給電側口金２１および接地側口金２２の両方が装着可能となっている。図３（ａ）〜（ｃ）に示すように、ランプソケット３０は、上面が円弧形状の略箱体を有し、給電側口金２１および接地側口金２２が装着される本体３１と、その背面側を覆うカバー３２とで構成される。また、本体３１とカバー３２との間には、一対の導電接触片３３、および回転子３４が配置される。
【００１５】
本体３１は、ポリカーボネートなどの熱可塑性樹脂で形成される。図３（ｃ）に示すように、本体３１は、直管ＬＥＤランプ２０を装着する際に、給電側口金２１および接地側口金２２が当接する面３１ａを有する。面３１ａには、略円形の開口部３７が形成される。カバー３２は、本体３１と同じく、ポリカーボネートなどの熱可塑性樹脂で形成され、例えば係合爪と係合穴等によって本体３１に取り付けられる。カバー３２の内面には、隙間３９を介して対向配置される一対の保持用リブ３６、および隙間３８ａを介して円状に配置される複数のクリック感用リブ３８が設けられる。本実施の形態では、０°、９０°、１８０°および２７０°に設けられた隙間３８ａを介して４個のクリック感用リブ３８が設けられる。保持用リブ３６およびクリック感用リブ３８は、カバー３２と同じポリカーボネートなどの熱可塑性樹脂で形成される。保持用リブ３６の詳細については、後述する。
【００１６】
導電接触片３３は、例えば、りん青銅などの導通性のある材質で形成される。導電接触片３３は、保持用リブ３６の外側において、本体３１の開口部３７を挟んで対向配置される。また、導電接触片３３は、図示しない電源装置と電気的に配線接続されている。回転子３４は、略円筒形状を有し、ポリカーボネートなどの熱可塑性樹脂で形成される。回転子３４は、本体３１の開口部３７の内面に回転可能に取り付けられる。また、回転子３４は、直径方向に貫通して形成される直方体凹形状のピン挿入部３５を有する。さらに、回転子３４の内周面には、クリック感用リブ３８の隙間３８ａに嵌まり込むことでクリック感を生じさせる突起部（図示せず）が設けられている。
【００１７】
図４は、本実施の形態におけるランプソケット３０と給電ピン２５との接触状態を示す図である。図４に示すように、直管ＬＥＤランプ２０がランプソケット３０に正しく装着されると、一対の給電ピン２５が一対の導電接触片３３にそれぞれ接触する。これにより、図示しない電源装置から導電接触片３３を介して給電ピン２５に電源が供給され、直管ＬＥＤランプ２０が点灯する。
【００１８】
図５は、本実施の形態におけるランプソケット３０の保持用リブ３６を説明する図であり、(ａ)は保持用リブ３６と給電ピン２５との関係を示し、（ｂ）は保持用リブ３６と接地ピン２７との関係を示す図である。なお、図５（ａ）および（ｂ）は、ランプソケット３０に給電ピン２５および接地ピン２７が挿入された状態における、カバー３２の正面（内面）図である。図３ならびに図５（ａ）および（ｂ）に示すように、一対の保持用リブ３６の各々は、略Ｕ字形状の断面を有し、カバー３２の内面から本体３１側に突出して形成される。保持用リブ３６の中央部には、接地ピン２７を保持する平行な保持面３６ａが形成される。一対の保持用リブ３６により、回転子３４の中央部付近において、接地ピン２７を保持するための空間ＳＰが形成される。
【００１９】
一対の保持用リブ３６の間の隙間３９は、それぞれ異なる幅ｗ３、ｗ４、ｗ５となるよう設定される。幅ｗ３は、給電ピン２５および接地ピン２７のランプソケット３０への挿入方向（図５（ａ）および（ｂ）の矢印Ａに示される方向）における保持用リブ３６の下流端の間隔である。幅ｗ４は、給電ピン２５および接地ピン２７の挿入方向における保持用リブ３６の上流端の間隔である。幅ｗ５は、保持用リブ３６の保持面３６ａ間の間隔である。
【００２０】
図５（ａ）および（ｂ）に示すように、給電ピン２５の幅をｗ１、接地ピン２７の接地ピン先端部２７ｂにおける短辺の幅（接地ピン２７が挿入される際の横幅）をｗ２とした場合、まず、隙間３９の幅ｗ３が給電ピン２５の幅ｗ１よりも小さいと、ランプソケット３０に給電ピン２５を挿入した際に、給電ピン２５が保持用リブ３６の間の隙間３９を通り抜けることができず、給電側口金２１をランプソケット３０に装着できなくなる。また、隙間３９の幅ｗ３が接地ピン２７の幅ｗ２よりも大きいと、ランプソケット３０に接地ピン２７を挿入した際に、接地ピン２７が保持用リブ３６の隙間３９を通り抜けてしまい、接地ピン２７を保持用リブ３６内で保持および固定することができなくなる。そこで、隙間３９の幅ｗ３は、給電ピン２５の幅ｗ１以上で、かつ接地ピン２７の短辺の幅ｗ２以下となるよう設定される。
【００２１】
具体例として、給電ピン２５の幅ｗ１は、ＪＥＬ規格またはＪＩＳ規格により３．８〜４．２ｍｍと規定されている。また、接地ピン２７の幅ｗ２は、同じくＪＥＬ規格またはＪＩＳ規格により４．６〜５．０ｍｍと規定されている。従って、保持用リブ３６の隙間３９の幅ｗ３を４．２〜４．６ｍｍに設定する。これにより、給電ピン２５が保持用リブ３６に干渉することがなく、給電側口金２１をランプソケット３０にスムーズに装着できる。また、接地側口金２２をランプソケット３０に装着するときは、接地ピン２７が保持用リブ３６に干渉することで、接地ピン２７の位置が固定される。
【００２２】
また、隙間３９の幅ｗ４は、給電ピン２５の幅ｗ１および接地ピン２７の短辺の幅ｗ２より大きく設定される。これにより、給電ピン２５および接地ピン２７がスムーズに挿入される。また、保持面３６ａ間の幅ｗ５は、接地ピン２７の接地ピン先端部２７ｂにおける長辺の幅（接地ピン２７が挿入される際の縦の長さ）と略等しくなるよう設定される。これにより、接地ピン２７が回転した場合に、保持用リブ３６の間で接地ピン２７を保持することができる。
【００２３】
次に、ランプソケット３０における給電ピン２５および接地ピン２７の保持状態について、図６および図７を参照して説明する。なお、図６および図７は、ランプソケット３０に給電側口金２１および接地側口金２２がそれぞれ装着された状態のランプソケット３０の縦断面図である。まず、図６は給電ピン２５の保持状態を示す図であり、（ａ）は直管ＬＥＤランプ２０をランプソケット３０に挿入した状態（０°）、（ｂ）は直管ＬＥＤランプ２０を挿入した状態から９０°回転した状態を示す図である。図６（ａ）に示すように、まず、給電ピン２５が回転子３４のピン挿入部３５に挿入される。このとき、一方の給電ピン２５は、保持用リブ３６の隙間３９を通ってピン挿入部３５に挿入される。
【００２４】
図６（ａ）に示す状態で、直管ＬＥＤランプ２０を回転させると、回転子３４が直管ＬＥＤランプ２０の回転にともなって回転する。そして、直管ＬＥＤランプ２０および回転子３４が挿入した状態から９０°回転すると、給電ピン２５と導電接触片３３が接触する。これにより、直管ＬＥＤランプ２０が通電する。また、直管ＬＥＤランプ２０が９０°回転されると、回転子３４の内周面に設けられた突起（図示せず）がクリック感用リブ３８の隙間３８ａに嵌まり込み、クリック感を生じる。これにより、作業者が直管ＬＥＤランプ２０をランプソケット３０に正しく装着できたことを認識することができる。
【００２５】
次に、図７は接地ピン２７の保持状態を示す図であり、（ａ）は直管ＬＥＤランプ２０をランプソケット３０に挿入した状態（０°）、（ｂ）は直管ＬＥＤランプ２０を挿入した状態から９０°回転した状態を示す図である。図７（ａ）に示すように、まず、接地ピン２７が回転子３４のピン挿入部３５に挿入される。このとき、接地ピン２７は、給電ピン２５および接地ピン２７の挿入方向における保持用リブ３６の上流端を通過し、下流端に接触する。これにより、接地ピン２７が回転子３４の中央部付近で保持される。
【００２６】
図７（ａ）に示す状態で、直管ＬＥＤランプ２０を回転させると、回転子３４はそのままの状態で回転せず、接地ピン２７が保持用リブ３６内において回転する。そして、直管ＬＥＤランプ２０を挿入した状態から９０°回転させると、図７（ｂ）に示すように、保持用リブ３６の保持面３６ａによって、接地ピン２７が保持される。なお、導電接触片３３は保持用リブ３６の外側にあるため、接地ピン２７が回転しても導電接触片３３には接触しない。そのため、接地ピン２７によって、導電接触片３３を変形させることがない。
【００２７】
上記のように、本実施の形態では、ランプソケット３０に給電ピン２５および接地ピン２７のどちらが挿入されても、給電ピン２５を回転子３４によって保持し、接地ピン２７を保持用リブ３６によって保持することができる。これにより、ランプソケット３０を共通化することができるため、ランプソケット３０への配線作業も統一され、作業ミスの発生を低減することが可能となる。また、部品を共通化することで、部品点数や部品コストを低減することが可能となる。また、製造工程において、ソケットの選別工程、管理工程等が不要となり、さらにソケットの取り付け間違い等を防ぐことが可能となる。従って、製造にかかるコストの削減が可能となり、照明器具１０を安価に製造可能となる。
【００２８】
また、直管ＬＥＤランプ２０の両端に取り付けたランプソケット３０の導電接触片３３の両方を図示しない電源装置に接続しておくことにより、両端のランプソケット３０のどちらに給電側口金２１が装着されても、直管ＬＥＤランプ２０を点灯させることが可能となる。そのため、取り付け作業時に取り付け方向性がなくなり、作業性が向上する。
【００２９】
さらに、従来の接地側ソケットに接地ピン２７を挿入する場合、接触片等により接地ピン２７を保持しているが、直管ＬＥＤランプ２０の回転不足等により正規装着位置（９０°）にない場合、接触片等からの応力により接地ピン２７が回転しやすく、直管ＬＥＤランプ２０が回転し落下につながる恐れがあった。これに対し、本実施の形態では、保持用リブ３６によって接地ピン２７を保持することにより、落下を抑制するとともに振動等によるガタつきを防止する事ができる。
【００３０】
以上が本発明の実施の形態の説明であるが、本発明は、上記の実施の形態の構成に限定されるものではなく、その技術的思想の範囲内で様々な変形または組み合わせが可能である。例えば、上記実施の形態では、保持用リブ３６は、カバー３２のクリック感用リブ３８の内側に設けられているが、回転子３４や本体３１に設けられていても良い。また、接地ピン２７を保持するために、別途接触片を設けても良い。例えば、ランプソケット３０の内部に、導電接触片３３とは別に接地ピン保持専用の接触片を設けても良い。ただし、この場合、接地ピン保持用の接触片は、ランプソケット３０への給電ピン２５の挿入動作や給電ピン２５の回転動作を邪魔しないように設ける必要がある。
【００３１】
また、上記実施の形態においては、保持用リブ３６の材質を熱可塑性樹脂としたが、これに限定されるものではなく、板ばねなどの弾性部材で形成することも可能である。さらに、上記実施の形態においては、１灯用のランプソケットついて説明したが、２灯用以上のランプソケットについても、本発明を適用することが可能である。
【符号の説明】
【００３２】
１０  照明器具、１１  器具本体、１２  反射板、２０  直管ＬＥＤランプ、２１  給電側口金、２２  接地側口金、２３  外郭、２４  給電側当接部、２５  給電ピン、２５ａ  給電ピン軸部、２５ｂ  給電ピン抜け止め部、２６  接地側当接部、２７  接地ピン、２７ａ  接地ピン軸部、２７ｂ  接地ピン先端部、３０  ランプソケット、３１  本体、３１ａ  面、３２  カバー、３３  導電接触片、３４  回転子、３５  ピン挿入部、３６  保持用リブ、３６ａ  保持面、３７  開口部、３８  クリック感用リブ、３８ａ、３９  隙間、ＳＰ  空間。
【図１】
0006395523.tif 000002
【図２】
0006395523.tif 000003
【図３】
0006395523.tif 000004
【図４】
0006395523.tif 000005
【図５】
0006395523.tif 000006
【図６】
0006395523.tif 000007
【図７】
0006395523.tif 000008